(57)【要約】【課題】  小さな力でマネキン人形の高さの調整及び保持が可能であり、着せ替えなどの作業性に優れ、構造が簡単なマネキン人形用スタンドを提供する。【解決手段】  ベース板２１上に設けられる固定柱２０と上部に人形の係止部３１を有する可動柱３０とを備え、一方の柱内に他方の柱を挿入することにより係止部３１の高さを調節可能であり、可動柱３０を持ち上げるように作用する付勢手段を備えるとともに、可動柱３０を持ち上げる速度を低く抑える抑制手段を備えている。付勢手段は気体の圧力を利用するものが好ましく、抑制手段は液体の粘性抵抗を利用するものが好ましい。【選択図】図１
0003194527.tif 000002
【実用新案登録請求の範囲】
【請求項１】
ベース板上に設けられる固定柱と上部に人形の係止部を有する可動柱とを備え、一方の柱内に他方の柱を挿入することにより前記係止部の高さを調節可能としたマネキン人形用スタンドであって、
前記可動柱を持ち上げるように作用する付勢手段を備えるとともに、
前記可動柱を持ち上げる速度を低く抑える抑制手段を備えていることを特徴とするマネキン人形用スタンド。
【請求項２】
前記抑制手段が、液体の粘性抵抗を利用するものであることを特徴とする請求項１に記載のマネキン人形用スタンド。
【請求項３】
前記抑制手段が、前記可動柱を持ち上げるときのみ作用し、前記可動柱を押し下げるときには作用しないよう形成されていることを特徴とする請求項１又は２に記載のマネキン人形用スタンド。
【請求項４】
前記付勢手段が、気体の圧力を利用するものであることを特徴とする請求項１乃至３の何れか１項に記載のマネキン人形用スタンド。
【請求項５】
前記付勢手段及び前記抑制手段が、一体に形成されていることを特徴とする請求項１乃至４の何れか１項に記載のマネキン人形用スタンド。
【考案の詳細な説明】
【技術分野】
【０００１】
本考案は、展示用のマネキン人形を支持するスタンドであって、構造が簡単であるとともに、衣類の着せ替え作業を容易に行うことができるマネキン人形用スタンドに関する。
【背景技術】
【０００２】
衣類を纏って店頭に飾られるマネキン人形の多くは、専用のスタンドによって一定の姿勢が保持されるようになっている。また、一つのスタンドに対して、多様なマネキン人形を交換して使用できる構造としている。例えば、マネキン人形の背中に係止孔を設けて、ここにスタンドの係止部が係止するようになっている。また、ネジ止めなどにより簡単に固定できるようになっている。
【０００３】
そして、マネキン人形や着せる衣類によって展示する高さを変更できるように、係止部の高さが調節できるようにされている。すなわち、スタンドの柱部は二重の筒状に形成され、一方の柱の中に他方の柱を挿入することにより、高さを調節して保持できるようにしている。また、調節を行う際に、マネキン人形の重さが作業者の負担とならないように、荷重を軽減する工夫もなされている。すなわち、柱部内に付勢手段を設けて、荷重を打ち消すようにしたものがある。
【０００４】
特許文献１には、図８に示すようなマネキン人形用スタンド１１０が記載されている。このマネキン人形用スタンド１１０は、ベース板１２１に設けられる固定柱１２０と、人形の係止部１３１を備える可動柱１３０とを備えている。そして、固定柱１２０の上側を可動柱１３０に挿入して、全体を伸縮自在に形成するとともに、固定ネジ１７０によって固定することができる。
【０００５】
可動柱１３０の内部には、付勢手段としてのガススプリング１５０が設けられており、可動柱１３０を持ち上げて最上位に位置させるような付勢力が作用している。付勢力の強さは、最上位において最少であり、最下位において最大となる。マネキン人形の重さは、１０ｋｇ程度であることが多い。スプリングの特性としては、伸縮ストロークが大きく、付勢力の変化が少ないことが好ましい。この特性について、流体を用いるガススプリング１５０は、単純なコイルスプリングよりも優れている。
【０００６】
ガススプリング１５０を備えることによって、高さ調整において必要となる力は、可動柱１３０を下に押し下げる力のみであり、上に持ち上げる力は必要なくなる。また、押し下げる力も、マネキン人形の重さに比べて半分以下とすることができる。すなわち、高さ調整を行うための、作業性が改善されたことになる。
【０００７】
しかし、ガススプリング１５０を使用したマネキン人形用スタンド１１０は、高さ調節において絶えず可動柱１３０を抑えている必要があり、少し手を放すと、可動柱１３０が最上位まで跳ね上がってしまう。このため、両手で調整作業を行っている際に誤って可動柱１３０を跳ね上げてしまうことがある。特許文献１では、この対策としてフットペダル１３２を設け、足を使うことによって可動柱１３０を抑え込むようにしている。しかし、足を使うようでは付勢手段を用いる意味が半減し、依然として欠点を備えている。
【先行技術文献】
【特許文献】
【０００８】
【特許文献１】特開２００７−２８２８５８号公報
【考案の概要】
【考案が解決しようとする課題】
【０００９】
したがって、本考案の目的は、小さな力でマネキン人形の高さの調整及び保持が可能なマネキン人形用スタンドであって、衣類の着せ替えなどにおいて、作業性の良いマネキン人形用スタンドを提供することである。また、構造が簡単で安価に製造することが可能であり、可動柱の可動範囲を大きくできるマネキン人形用スタンドを提供することである。
【課題を解決するための手段】
【００１０】
そこで、本考案の請求項１に係るマネキン人形用スタンドは、ベース板上に設けられる固定柱と上部に人形の係止部を有する可動柱とを備え、一方の柱内に他方の柱を挿入することにより前記係止部の高さを調節可能としたマネキン人形用スタンドであって、前記可動柱を持ち上げるように作用する付勢手段を備えるとともに、前記可動柱を持ち上げる速度を低く抑える抑制手段を備えている手段を採用している。
【００１１】
また、本考案の請求項２に係るマネキン人形用スタンドは、請求項１に記載のマネキン人形用スタンドであって、前記抑制手段が、液体の粘性抵抗を利用するものである手段を採用している。また、本考案の請求項３に係るマネキン人形用スタンドは、請求項１又は２に記載のマネキン人形用スタンドであって、前記抑制手段が、前記可動柱を持ち上げるときのみ作用し、前記可動柱を押し下げるときには作用しないよう形成されている手段を採用している。また、本考案の請求項４に係るマネキン人形用スタンドは、請求項１乃至３の何れか１項に記載のマネキン人形用スタンドであって、前記付勢手段が、気体の圧力を利用するものである手段を採用している。また、本考案の請求項５に係るマネキン人形用スタンドは、請求項１乃至４の何れか１項に記載のマネキン人形用スタンドであって、前記付勢手段及び前記抑制手段が、一体に形成されている手段を採用している。
【考案の効果】
【００１２】
本考案のマネキン人形用スタンドは、上記のように付勢手段とともに抑制手段を備えているために、可動柱を一旦下方に抑え込んだ後に、これをゆっくりと上昇させながら希望の高さに固定することができる。作業に要する力は、下向きに押し下げる力のみであり、マネキン人形の重さに比べて小さな力とすることができる。したがって、マネキン人形の高さ調整における作業性を大幅に改善することができる。また、構造が簡単であり安価に製造することができる。
【図面の簡単な説明】
【００１３】
【図１】本考案のマネキン人形用スタンドを示し、（ａ）は概略側面図、（ｂ）はマネキン人形を係止させた概略図である。
【図２】柱部及び緩速スプリングの伸縮状態を（ａ）最上位、（ｂ）最下位で示す概略断面図である。
【図３】緩速スプリングの一例であり、伸縮状態を（ａ）最上位、（ｂ）最下位で示す概略断面図である。
【図４】気体室を有しない緩速スプリングの例であり、伸縮状態を（ａ）最上位、（ｂ）最下位で示す概略断面図である。
【図５】液体室を有しない緩速スプリングの例であり、伸縮状態を（ａ）最上位、（ｂ）最下位で示す概略断面図である。
【図６】緩速スプリングのまた別の例であり、伸縮状態を（ａ）最上位、（ｂ）最下位で示す概略断面図である。
【図７】ピストンバルブの具体例であり、（ａ）両方向抑制、（ｂ）一方向抑制を示す概略断面図である。
【図８】従来のマネキン人形用スタンドにおける柱内の構造の一例を示す概略断面図である。
【考案を実施するための形態】
【００１４】
図１は本考案の概要を示し、（ａ）は概略側面図であり、（ｂ）はマネキン人形を係止させた概略図である。マネキン人形用スタンド１０は、ベース板２１に設けられる固定柱２０と上部に人形を係止するための係止部３１を有する可動柱３０を備えている。そして、一方の柱内に他方の柱を挿入することにより、係止部３１の高さを調整可能としている。また、外側となる柱に固定ネジ７０を設けて、内側となる柱の表面を押圧することにより希望する位置に固定することができる。図１では、固定柱２０内に可動柱３０を挿入するとともに、外側の柱となる固定柱２０に固定ネジ７０を設けている。
【００１５】
本考案のマネキン人形用スタンド１０は、可動柱３０を持ち上げるように作用する付勢手段と、可動柱３０を持ち上げる際の速度を低く抑える抑制手段とを備えることを特徴としている。
本考案で付勢手段とは、少なくとも無荷重の状態で、固定ネジ７０で固定しない限り、可動柱３０を最上位まで持ち上げるように作用する手段とする。そして、マネキン人形を取付けた場合でも、同様に作用することが好ましい。
また、本考案で抑制手段とは、付勢手段の作用により可動柱３０を最下位から最上位へ移動させる際に、少なくとも１秒以上、好ましくは３秒以上、より好ましくは５秒以上の時間を要するように作用する手段とする。そして、無負荷の状態でも同様に作用することが好ましい。
また、付勢手段と抑制手段は、一体化して形成することが好ましいために、本考案ではこれを「緩速スプリング」と称することにする。
【００１６】
図２は、固定柱２０と可動柱３０との相互伸縮状態を示すとともに、柱内における緩速スプリング５０の伸縮状態を示している。（ａ）は可動柱３０が最上位に位置し、（ｂ）は可動柱３０が最下位に位置している。可動柱３０が固定柱２０内に出入することによって伸縮するように、緩速スプリング５０では、ピストンロッド６１がシリンダ６５内に出入することによって伸縮するようになっている。
【００１７】
緩速スプリング５０の構造について図３により説明する。（ａ）はピストンロッド６１が最上位に位置しており、（ｂ）はピストンロッド６１が最下位に位置している。
ピストンロッド６１は、密閉された筒状をなすシリンダ６５の一端から挿入され、大きなストロークで出入する。ピストンロッド６１はピストン弁６２を備え、ピストン弁６２には連通孔８１が設けられている。
【００１８】
シリンダ６５の内部には、軸方向に移動可能なフリーピストン６３が設けられており、これによって液体室６６と気体室６７とに区画されている。液体室６６にはオイルなどの液体が充填され、ピストンロッド６１及びピストン弁６２が移動する。液体は非圧縮性流体であり、圧力が変化しても体積は変化しない。気体室６７には空気などの気体が充填されている。気体は圧縮性流体であり、圧力によって体積が変化する。
【００１９】
緩速スプリング５０は、気体室６７を付勢手段として使用している。すなわち、気体室６７内の気体は、その圧力によってピストンロッド６１を上方に持ち上げる機能を備え、これによって可動柱３０を持ち上げるように作用することができる。そして、充填される気体の圧力は、ピストンロッド６１が最上位に位置している場合でも、マネキン人形の重さ以上の付勢力を作用することが好ましい。
【００２０】
シリンダ６５の内部体積は一定であり、液体室６６の体積と気体室６７の体積との合計となっている。
ピストンロッド６１の出入に伴って、液体室６６内に存在するピストンロッド６１の体積が変化するので、液体室６６の体積が変化する。この体積変化に伴って、フリーピストン６３が軸線に沿って移動し、気体室６７の体積が変化することになる。
結局、液体室６６内に出入するピストンロッド６１の体積変化に応じて、気体室６７の体積が同じ体積だけ変化することになる。
【００２１】
ここで、ピストンロッド６１の最大変位Ｌ１（最上位から最下位までの長さ）に対してフリーピストン６３の最大変位Ｌ２がどの程度となるかを検討する。
ピストンロッド６１の断面積をＳ１、フリーピストン６３（シリンダ６５）の断面積をＳ２とすれば、Ｌ１／Ｌ２＝Ｓ２／Ｓ１となる。
すなわち、ピストンロッド６１の断面積が、フリーピストン６３の断面積の０．１倍であれば、フリーピストン６３の最大変位は、ピストンロッド６１の最大変位の０．１倍となる。
【００２２】
次に、最上位と最下位における、ピストンロッド６１の付勢力を検討する。
ピストンロッド６１の付勢力を気体室６７の体積と圧力とともに考え、最上位において付勢力Ｆａ、体積Ｖａ、圧力Ｐａであり、最下位では付勢力Ｆｂ、体積Ｖｂ、圧力Ｐｂとすると、明らかに、Ｆａ／Ｆｂ＝Ｐａ／Ｐｂである。
また、ボイルの法則よりＰｂ／Ｐａ＝Ｖａ／Ｖｂであるから、Ｆｂ／Ｆａ＝Ｖａ／Ｖｂとなる。
図３で（ａ）と（ｂ）との気体室６７を比較することにより、例えば、Ｆａが１０ｋｇであるときに、Ｆｂを１５ｋｇ以下とすることは容易であることが理解できる。これは、マネキン人形を取付けた状態で、５ｋｇ以下の力で、最上位から最下位に押し下げることができることを示している。
【００２３】
緩速スプリング５０のピストン弁６２は、その上下を連通する連通孔８１を備えて抑制手段を形成している。すなわち、ピストン弁６２が液体室６６内を上下すると、オイルなどの液体の粘性抵抗によって、ピストン弁６２の上下運動を阻止するように抵抗力が作用することになる。これについては、図７により後述する。
【００２４】
緩速スプリング５１の構造について図４により説明する。（ａ）はピストンロッド６１が最上位に位置しており、（ｂ）はピストンロッド６１が最下位に位置している。
緩速スプリング５１は、気体室６７を有しない例であって、緩速スプリング５０における気体室６７を、コイルスプリング６８に置き換えたものである。その他の部分については、緩速スプリング５０と略同様に形成している。
【００２５】
緩速スプリング５０では、気体室６７を密閉したが、緩速スプリング５１のコイルスプリング６８を収納する部分には、そのような必要性がない。また、スプリング特性を緩速スプリング５０と同等とするためには、コイルスプリング６８を収納する部分を、軸線方向に多少長くする必要がある。
【００２６】
本考案のマネキン人形用スタンド１０は、付勢手段を備えることを必須としているが、その付勢手段としては、緩速スプリング５０のように気体の圧力を利用するものであっても良く、また、緩速スプリング５１のように機械的なバネの弾性を利用するものであっても良い。
【００２７】
緩速スプリング５２の構造について図５により説明する。（ａ）はピストンロッド６１が最上位に位置しており、（ｂ）はピストンロッド６１が最下位に位置している。
緩速スプリング５２は、液体室６６を有しない例であって、緩速スプリング５０におけるフリーピストン６３を備えず、シリンダ６５内が全て気体室６７となっている。
【００２８】
すなわち、気体の圧力を利用して付勢手段を形成するとともに、気体の粘性抵抗を利用して抑制手段を形成している。付勢手段は、気体室６７が大きくなるために有利となる。また、抑制手段についても、連通孔８１を細くすることにより気体の粘性抵抗を利用することが可能であり、十分に機能させることができる。
ただし、気体のリークを起こし易くなるために、シリンダ６５とピストンロッド６１とのシールを強化する必要がある。例えば、シリンダ６５内に、ピストンロッド６１を覆うジャバラを形成すれば密閉できるが、シリンダ６５を多少長くする必要がある。
【００２９】
緩速スプリング５３の構造について図６により説明する。（ａ）はピストンロッド６１が最上位に位置しており、（ｂ）はピストンロッド６１が最下位に位置している。
緩速スプリング５３は、シリンダ６５が二重に形成されており、外側シリンダ６５ａと内側シリンダ６５ｂを備えている。密閉された外側シリンダ６５ａの内部において、内側シリンダ６５ｂの内外に空間が形成されるが、下端に隙間が形成されて内外の空間が連通されている。ピストンロッド６１は、内側シリンダ６５ｂの内側空間を移動する。
【００３０】
緩速スプリング５３は、内側シリンダ６５ｂの外側空間が上部に気体室６７を形成するとともに、その他の空間が液体室６６を形成している。すなわち、内側シリンダ６５ｂの内側空間の全て、及び外側空間の下部に液体室６６が形成されている。
ピストンロッド６１が内側シリンダ６５ｂに出入すると、内側シリンダ６５ｂの下端に形成された隙間を通って液体が出入し、これによって液体室６６と気体室６７との境界面６９が上下することになる。
【００３１】
ピストンロッド６１の出入による、境界面６９の変位について検討する。
気体室６７の環状をなす断面は、ピストンロッド６１の断面に対して十分に大きな値とすることができるので、緩速スプリング５０と同様に、ピストンロッド６１の最大変位に対して、境界面６９の変位を十分に小さな値とすることができる。
この結果、ピストンロッド６１の付勢力を検討すると、緩速スプリング５０と同様に、５ｋｇ以下の力で、最上位から最下位に押し下げることができる。
【００３２】
緩速スプリング５０と同様に、緩速スプリング５３のピストン弁６２は、その上下を連通する連通孔８１を備えて抑制手段を形成している。そして、ピストン弁６２が液体室６６内を上下に移動すると、オイルなどの液体の粘性抵抗によって、ピストン弁６２の上下運動を阻止するように抵抗力が作用することになる。
【００３３】
本考案の抑制手段となるピストン弁６２、７２について、図７により説明する。
図６（ａ）は、図３〜図５において簡単に説明したピストン弁６２の構造である。すなわち、連通孔８１を備えており、ピストン弁６２が移動する際に、その一方の側から他方の側に向かって液体が連通孔８１内を流動する。そして、連通孔８１を流れる液体の粘性抵抗によって、ピストン弁６２の移動とは逆の方向に抵抗力が発生する。このため、可動柱３０を持ち上げる際に、速度を低く抑える抑制手段として作用することになる。
【００３４】
しかし、可動柱３０を下に押し下げるときは多少の力が必要となるために、素早く移動できることが好ましい。すなわち、むしろ抑制手段が働かない方が好ましい。図７（ａ）のピストン弁６２が両方向に作用する抑制手段であるのに対して、図７（ｂ）は一方向のみに作用するピストン弁７２を示している。
【００３５】
ピストン弁７２では、ピストンロッド６１に、ピストン８０とスプリング受け８５が固定されている。ピストン８０には、大きめの連通孔８２が設けられている。ピストン８０の上部には、スプリング８４により付勢された弁体８３が、連通孔８２の一部を残して大半を覆うように設けられている。
【００３６】
付勢手段によってピストンロッド６１が伸長するとき、上昇するピストン８０の連通孔８２の大半は弁体８３によって覆われているので、ピストン８０の上方から下方に向って流れる液体の流路は狭く、ピストン８０の上昇に逆らう抵抗力が発生する。したがって、本考案の抑制手段が作用することになる。
【００３７】
調整をする人が可動柱３０を下に押し下げるときは、下降するピストン８０の連通孔８２を流れる液体が弁体８３を上方に押し上げて流路が広くなり、ピストン８０の下降に逆らう抵抗力は殆どなくなる。
したがって、上記の緩速スプリング５０、５１、５２、５３において、ピストン弁６２の代わりにピストン弁７２を用いた場合には、抑制手段は可動柱３０を持ち上げるときのみ作用し、可動柱３０を押し下げるときには作用しないことになる。
この場合、調整をする人は、一旦可動柱３０を押し下げて手を離し、ゆっくりと上昇する可動柱３０を見ながら、最適の位置で固定ネジ７０を締め付けることができる。
【符号の説明】
【００３８】
１０：  マネキン人形用スタンド
２０：  固定柱
２１：  ベース板
３０：  可動柱
３１：  係止部
【図１】
0003194527.tif 000003
【図２】
0003194527.tif 000004
【図３】
0003194527.tif 000005
【図４】
0003194527.tif 000006
【図５】
0003194527.tif 000007
【図６】
0003194527.tif 000008
【図７】
0003194527.tif 000009
【図８】
0003194527.tif 000010